(57)【特許請求の範囲】
【請求項１】
（Ａ）成分：過酸化水素と、（Ｂ）成分：ポリオキシアルキレンアルキルエーテル硫酸又はその塩と、（Ｃ）成分：下記一般式（ＩＩ）で表される半極性界面活性剤と、を含み、界面活性剤の合計量が液体漂白剤組成物の総質量に対して２〜１０質量％である、液体漂白剤組成物。
【化１】
0006635598.tif 000006
（式（ＩＩ）中、Ｒ２１は炭素数７〜２２の直鎖状若しくは分岐鎖状のアルキル基、又は炭素数７〜２２の直鎖状若しくは分岐鎖状のアルケニル基であり；Ｒ２２及びＲ２３はそれぞれ独立に炭素数１〜３のアルキル基、又は炭素数１〜３のヒドロキシアルキル基であり、ｑは１〜５の整数である。）
【請求項２】
（Ｂ）成分／（Ｃ）成分で表される質量比が、０．５〜１．２６である、請求項１に記載の液体漂白剤組成物。
【請求項３】
（Ｂ）成分／（Ａ）成分で表される質量比が、０．０８〜２．２０である、請求項１又は２に記載の液体漂白剤組成物。
【請求項４】
前記（Ｂ）成分が下記一般式（Ｉ）で表される化合物である、請求項１〜３のいずれか一項に記載の液体漂白剤組成物。
Ｒ１−［（ＥＯ）ｍ／（ＰＯ）ｎ］−ＳＯ３−Ｍ＋・・・（Ｉ）
（式（Ｉ）中、Ｒ１は炭素数８〜２０の直鎖状もしくは分岐鎖状のアルキル基である。ＥＯはオキシエチレン基を表し、ＰＯはオキシプロピレン基を表す。ｍは、ＥＯの平均繰り返し数を表し、０以上の数である。ｎは、ＰＯの平均繰り返し数を表し、０〜６の数である。０＜ｍ＋ｎである。Ｍ＋は対カチオンである。）
【発明の詳細な説明】
【技術分野】
【０００１】
本発明は、液体漂白剤組成物に関する。
【背景技術】
【０００２】
液体漂白剤組成物は、衣類や食器等に付着した汚れを漂白する効果を有している。中でも、過酸化水素を含む液体漂白剤組成物は、色柄物にも使用できる手軽さから広く使用されている。液体漂白剤組成物にはさらなる汚れ洗浄力が要求されている。
【０００３】
特許文献１は、過酸化水素を含む液体漂白剤組成物に界面活性剤とポリマ―を添加することで、さらなる洗浄力の向上を図っている。
【先行技術文献】
【特許文献】
【０００４】
【特許文献１】特開２００７−１６９５７６号公報
【発明の概要】
【発明が解決しようとする課題】
【０００５】
しかし、特許文献１の液体漂白剤組成物は、えりやそでに付着した皮脂汚れに対する洗浄力は十分でない。
また、過酸化水素は分解されやすいという問題がある。過酸化水素の分解によりラジカルが発生し、それによりその他の成分が分解されると、液体漂白剤組成物が白濁するなどして、外観安定性が低下する。
本発明は、上記事情に鑑みてなされたものであり、汚れに対する洗浄力を向上させ、外観安定性により優れる液体漂白剤組成物を提供することを課題とする。
【課題を解決するための手段】
【０００６】
本発明者は、鋭意検討した結果、過酸化水素と、特定のアニオン界面活性剤と、特定の半極性界面活性剤とを組み合わせることにより上記課題を解決できることを見出し、本発明を完成するに至った。
【０００７】
本発明の液体漂白剤組成物は、以下の態様を有する。
［１］（Ａ）成分：過酸化水素と、（Ｂ）成分：ポリオキシアルキレンアルキルエーテル硫酸又はその塩と、（Ｃ）成分：下記一般式（ＩＩ）で表される半極性界面活性剤と、を含む液体漂白剤組成物。
【化１】
0006635598.tif 000002
（式（ＩＩ）中、Ｒ２１は炭素数７〜２２の直鎖状若しくは分岐鎖状のアルキル基、又は炭素数７〜２２の直鎖状若しくは分岐鎖状のアルケニル基であり；Ｒ２２及びＲ２３はそれぞれ独立に炭素数１〜３のアルキル基、又は炭素数１〜３のヒドロキシアルキル基であり、ｑは１〜５の整数である。）
［２］（Ｂ）成分／（Ｃ）成分で表される質量比が、０．５〜５である、［１］に記載の液体漂白剤組成物。
［３］（Ｂ）成分／（Ａ）成分で表される質量比が、０．１〜２０である、［１］又は［２］に記載の液体漂白剤組成物。
【発明の効果】
【０００８】
本発明によれば、汚れに対する洗浄力を向上させ、外観安定性により優れる液体漂白剤組成物を提供できる。
【発明を実施するための形態】
【０００９】
本発明の液体漂白剤組成物は、以下の（Ａ）成分、（Ｂ）成分、及び（Ｃ）成分を含有する組成物である。
【００１０】
＜（Ａ）成分：過酸化水素＞
（Ａ）成分は過酸化水素であり、漂白効果を有する。特に、水性の汚れに対して高い漂白効果を発揮する。
液体漂白剤組成物中、（Ａ）成分の含有量は、液体漂白剤組成物の総質量に対して、０．１〜６質量％が好ましく、０．５〜５質量％がより好ましく、１．５〜４質量％がさらに好ましい。（Ａ）成分の含有量が前記範囲の下限値以上であれば、汚れに対する洗浄力が向上しやすい。前記範囲の上限値以下であれば、液体漂白剤組成物の外観安定性により優れる。
【００１１】
＜（Ｂ）成分：ポリオキシアルキレンアルキルエーテル硫酸又はその塩＞
（Ｂ）成分はポリオキシアルキレンアルキルエーテル硫酸又はその塩である。具体的には下記一般式（Ｉ）で表される化合物が好ましい。
Ｒ１−［（ＥＯ）ｍ／（ＰＯ）ｎ］−ＳＯ３−Ｍ＋・・・（Ｉ）
（式（Ｉ）中、Ｒ１は炭素数８〜２０の直鎖状もしくは分岐鎖状のアルキル基である。ＥＯはオキシエチレン基を表し、ＰＯはオキシプロピレン基を表す。ｍは、ＥＯの平均繰り返し数を表し、０以上の数である。ｎは、ＰＯの平均繰り返し数を表し、０〜６の数である。０＜ｍ＋ｎである。Ｍ＋は対カチオンである。］
ポリオキシアルキレンアルキルエーテル硫酸塩としては、炭素数１０〜２０の直鎖もしくは分岐鎖のアルキル基を有し、平均１〜５モルのアルキレンオキシドが付加されたものが好ましい。
Ｒ１の炭素数は、１０〜２０が好ましく、１２〜１４がより好ましい。
ＥＯの平均繰り返し数は、０〜５が好ましく、０．５〜３がより好ましい。
ＰＯの平均繰り返し数は０〜３が好ましく、０がより好ましい。
Ｍ＋としては、ナトリウムイオン、カリウムイオン等のアルカリ金属イオン、マグネシウムイオン等のアルカリ土類金属イオン、モノエタノールアミン、ジエタノールアミン等のアルカノールアミンから誘導されるカチオン等が挙げられる。
（ＥＯ）ｍ／（ＰＯ）ｎにおいて、ＥＯとＰＯはランダム付加であってもよくブロック付加であってもよい。
（Ｂ）成分としては、市販品を用いてもよいし、公知の合成方法で製造してもよい。公知の製造方法としては、ポリオキシアルキレンアルキルエーテルに、無水硫酸を反応させるか、クロルスルホン酸を反応させる方法が挙げられる。
（Ｂ）成分は、１種であってもよく２種以上であってもよい。
【００１２】
液体漂白剤組成物中、（Ｂ）成分の含有量は、液体漂白剤組成物の総質量に対して、０．１〜３０質量％が好ましく、１〜２０質量％がより好ましく、２〜１０質量％がさらに好ましい。（Ｂ）成分の含有量が前記範囲の下限値以上であれば、汚れに対する洗浄力を向上しやすく、液体漂白剤組成物の高温条件下における外観安定性により優れる。前記範囲の上限値以下であれば、液体漂白剤組成物の低温条件下における外観安定性により優れる。
【００１３】
（Ｂ）成分／（Ａ）成分で表される質量比（以下、Ｂ／Ａ比ともいう）は、０．１〜２０が好ましく、０．２〜５がより好ましく、０．３〜２がさらに好ましい。
Ｂ／Ａ比が前記範囲の上記下限値以上であれば、汚れに対する洗浄力を向上しやすい。前記範囲の上限値以下であれば、汚れに対する洗浄力を向上しやすい。
【００１４】
＜（Ｃ）成分：一般式（ＩＩ）で表される半極性界面活性剤＞
（Ｃ）成分は下記一般式（ＩＩ）で表される半極性界面活性剤である。
【００１５】
【化２】
0006635598.tif 000003
【００１６】
（式（ＩＩ）中、Ｒ２１は炭素数７〜２２の直鎖状若しくは分岐鎖状のアルキル基、又は炭素数７〜２２の直鎖状若しくは分岐鎖状のアルケニル基であり；Ｒ２２及びＲ２３はそれぞれ独立に炭素数１〜３のアルキル基、又は炭素数１〜３のヒドロキシアルキル基であり；ｑは１〜５の整数である。）
【００１７】
本明細書において、「半極性界面活性剤」とは、半極性結合（無極性結合及び極性結合の中間の性質を有する結合）を有する界面活性剤のことであり、半極性界面活性剤が溶解する溶液又は分散する分散系のｐＨにより、陽イオン性、陰イオン性、又は両極性となるものをいう。
【００１８】
式（ＩＩ）中、Ｒ２１は炭素数７〜２２の直鎖状若しくは分岐鎖状のアルキル基、又は炭素数７〜２２の直鎖状若しくは分岐鎖状のアルケニル基である。Ｒ２１の炭素数は７〜２２であり、７〜１７が好ましく、９〜１７がより好ましく、１１〜１５がさらに好ましい。
炭素数７〜２２の直鎖状若しくは分岐鎖状のアルキル基としては、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、イコシル基、ヘンイコシル基、ドコシル基が挙げられる。
【００１９】
Ｒ２２及びＲ２３はそれぞれ独立に炭素数１〜３のアルキル基、又は炭素数１〜３のヒドロキシアルキル基である。
炭素数１〜３のアルキル基としては、メチル基、エチル基、プロピル基が挙げられる。
炭素数１〜３のヒドロキシアルキル基としては、ヒドロキシエチル基、ヒドロキシプロピル基が挙げられる。
ｑは１〜５の整数であり、１〜３が好ましく、３がより好ましい。
（Ｃ）成分は、１種であってもよく２種以上であってもよい。
【００２０】
液体漂白剤組成物中、（Ｃ）成分の含有量は、液体漂白剤組成物の総質量に対して、０．１〜１０質量％が好ましく、０．３〜８質量％がより好ましく、１〜５質量％がさらに好ましい。（Ｃ）成分の含有量が前記範囲の下限値以上であれば、汚れに対する洗浄力を向上しやすく、液体漂白剤組成物の低温条件下における外観安定性により優れる。前記範囲の上限値以下であれば、液体漂白剤組成物の高温条件下における外観安定性により優れる。
【００２１】
（Ｂ）成分／（Ｃ）成分で表される質量比（以下、Ｂ／Ｃ比ともいう）は、０．５〜５が好ましく、０．７〜４がより好ましく、１〜２．５がさらに好ましい。
Ｂ／Ｃ比が前記範囲の上記下限値以上であれば、汚れに対する洗浄力を向上しやすく、液体漂白剤組成物の高温条件下における外観安定性により優れる。前記範囲の上限値以下であれば、汚れに対する洗浄力を向上しやすく、液体漂白剤組成物の低温条件下における外観安定性により優れる。
【００２２】
＜任意成分＞
本発明の液体漂白剤組成物は、上記（Ａ）〜（Ｃ）成分以外に、液体漂白剤組成物に通常用いられる任意成分を含有してもよい。
任意成分としては、例えば（Ｂ）成分及び（Ｃ）成分以外の界面活性剤、ｐＨ調整剤、キレート剤、ラジカルトラップ剤、有機溶剤、緩衝剤、香料、溶媒、ハイドロトロープ剤、漂白活性化剤が挙げられる。
【００２３】
（Ｂ）成分及び（Ｃ）成分以外の界面活性剤としては、（Ｂ）成分以外のアニオン界面活性剤、ノニオン界面活性剤、カチオン界面活性剤、両性界面活性剤、（Ｃ）成分以外の半極性界面活性剤等が挙げられる。
【００２４】
（Ｂ）成分以外のアニオン界面活性剤としては、例えば直鎖アルキルベンゼンスルホン酸又はその塩、α−オレフィンスルホン酸塩、直鎖又は分岐鎖のアルキル硫酸エステル塩、アルキル基を有するアルカンスルホン酸塩、α−スルホ脂肪酸エステル塩等が挙げられる。これらのアニオン界面活性剤における塩としては、ナトリウム、カリウム等のアルカリ金属塩、マグネシウム等のアルカリ土類金属塩、モノエタノールアミン、ジエタノールアミン等のアルカノールアミン塩等が挙げられる。
【００２５】
直鎖アルキルベンゼンスルホン酸又はその塩としては、直鎖アルキル基の炭素数が８〜１６のものが好ましく、炭素数１０〜１４のものが特に好ましい。
α−オレフィンスルホン酸塩としては、炭素数１０〜２０のものが好ましい。
アルキル硫酸エステル塩としては、アルキル基の炭素数が１０〜２０のものが好ましい。
アルカンスルホン酸塩としては、アルキル基の炭素数が１０〜２０のものが好ましく、１４〜１７のものがより好ましい。中でも、前記アルキル基が２級アルキル基であるもの（すなわち２級アルカンスルホン酸塩）が特に好ましい。
α−スルホ脂肪酸エステル塩としては、脂肪酸残基の炭素数が１０〜２０のものが好ましい。
【００２６】
これらの中でも、洗浄力と安定性に優れる点で、直鎖アルキルベンゼンスルホン酸又はその塩、アルカンスルホン酸塩、及びα−オレフィンスルホン酸塩が好ましく、直鎖アルキルベンゼンスルホン酸又はその塩、及びアルカンスルホン酸塩がより好ましく、直鎖アルキルベンゼンスルホン酸ナトリウム（ＬＡＳ）、炭素数１４〜１７の２級アルカンスルホン酸ナトリウム（ＳＡＳ）が特に好ましい。
【００２７】
ノニオン界面活性剤としては、ポリオキシエチレンアルキルエーテル（ＡＥ）、ポリオキシエチレンポリオキシプロピレンアルキルエーテル（ＥＯＰＯ型ノニオン）等のポリオキシアルキレンアルキルエーテル、アルキル（ポリ）グリコシド、ソルビタン脂肪酸エステル、ポリオキシエチレンソルビタン脂肪酸エステル、ポリオキシエチレン脂肪酸エステル、ポリオキシエチレン脂肪酸エステルオキシエチレンプロピレンブロック重合体、脂肪酸モノグリセライド等が挙げられる。
上記の中でも、過酸化水素等の漂白成分を含有する液体漂白剤組成物中での安定性、液体漂白剤組成物の溶存気体量のコントロールのしやすさ等の点から、ポリオキシアルキレンアルキルエーテルが好ましく、下記一般式（ＩＩＩ）で表されるポリオキシアルキレンアルキルエーテルが特に好ましい。
【００２８】
Ｒ１０−Ｏ−（ＡＯ）ｐ−Ｈ  ・・・（ＩＩＩ）
【００２９】
前記式（ＩＩＩ）中、Ｒ１０は炭素数８〜１６の直鎖もしくは分岐鎖状のアルキル基又は炭素数８〜１６の直鎖もしくは分岐鎖状のアルケニル基であり；ＡＯは炭素数２〜５のアルキレンオキシ基を示し；ｐはＡＯの平均繰り返し数を示し、１〜２０、好ましくは３〜１５である。
前記式（ＩＩＩ）中のＲ１０の炭素数は、アルキル基、アルケニル基のいずれの場合であっても８〜１６であり、１０〜１４が好ましく、１２〜１４がより好ましい。炭素数が８以上であることにより洗浄力が良好となり、炭素数が１６以下であることにより溶解性が向上する。
Ｒ１０は、アルキル基が好ましく、具体的にはヘプチル基、オクチル基、ノニル基、デシル基、ウンデシル基、ドデシル基、トリデシル基、テトラデシル基、ペンタデシル基、ヘキサデシル基が好ましく挙げられ、ドデシル基、テトラデシル基が特に好ましい。
ＡＯとしては、オキシエチレン基、オキシプロピレン基、オキシブチレン基、オキシペンチレン基等が挙げられる。なかでも、オキシエチレン基、オキシプロピレン基が好ましく、オキシエチレン基が好ましい。ＡＯは、１種単独で付加されていてもよく、２種以上が付加されていてもよい。
ｐは、前記ＡＯの種類にもよるが、たとえばＡＯがオキシエチレン基および／又はオキシプロピレン基の場合、３〜１５とすることが好ましい。
ＡＯがオキシエチレン基および／又はオキシプロピレン基の場合、これらはランダム付加であってもよくブロック付加であってもよい。
【００３０】
液体漂白剤組成物中、ノニオン界面活性剤の含有量は、液体漂白剤組成物の総質量に対して、０．１〜４０質量％が好ましく、０．３〜２０質量％がより好ましく、０．５〜１０質量％がさらに好ましい。ノニオン界面活性剤の含有量が前記範囲の下限値以上であれば、汚れに対する洗浄力を向上しやすい。前記範囲の上限値以下であれば、液体漂白剤組成物の外観安定性により優れる。
【００３１】
（Ｃ）成分以外の半極性界面活性剤としては、下記一般式（ＩＶ）で表されるトリアルキルアミンオキシド等が挙げられる。
Ｒ１１Ｒ１２Ｒ１３Ｎ→Ｏ  ・・・（ＩＶ）
式（ＩＶ）中、Ｒ１１は炭素数８〜１８の直鎖状若しくは分岐鎖状のアルキル基又は炭素数８から１８の直鎖状若しくは分岐鎖状のアルケニル基であり、Ｒ１２、Ｒ１３はそれぞれ独立に炭素数１〜３のアルキル基又は炭素数１〜３のヒドロキシアルキル基である。
【００３２】
液体漂白剤組成物中、界面活性剤の合計量は、液体漂白剤組成物の総質量に対して、１〜５０質量％が好ましく、１〜１５質量％がより好ましく、２〜１０質量％がさらに好ましい。
界面活性剤の合計量が前記範囲の下限値以上であれば、汚れに対する洗浄力を向上しやすく、液体漂白剤組成物の外観安定性により優れる。前記範囲の上限値以下であれば、本発明の効果が現れやすい。
【００３３】
ｐＨ調整剤としては、例えば、水酸化ナトリウム、塩酸、硫酸、水酸化ナトリウム、水酸化カリウム、モノエタノールアミン、ジエタノールアミン、トリエタノールアミン、アンモニア等が挙げられる。
本発明の液体漂白剤組成物のｐＨは２〜１１が好ましく、４〜９がより好ましく、５〜８がさらに好ましい。ｐＨが前記範囲の下限値以上であれば、液体漂白剤組成物の外観安定性により優れる。前記範囲の上限値以下であれば、汚れに対する洗浄力を向上しやすい。
なお、液体漂白剤組成物（２５℃に調温）のｐＨは、ｐＨメーター（東亜ディーケーケー株式会社製、「ＨＭ−３０Ｇ」）等により測定される値を示す。
【００３４】
キレート剤としては、例えば１−ヒドロキシエタン−１，１−ジホスホン酸等のホスホン酸系キレート剤が挙げられる。液体漂白剤組成物中、キレート剤の含有量は、液体漂白剤組成物の総質量に対して、０．１〜２質量％が好ましい。
ラジカルトラップ剤としては、例えばｐ−メトキシフェノール、ジブチルヒドロキシトルエン等が挙げられる。液体漂白剤組成物中、ラジカルトラップ剤の含有量は、液体漂白剤組成物の総質量に対して、０．０１〜１質量％が好ましい。
有機溶剤としては、例えば芳香族化合物が挙げられ、例えばフェニルジグリコールが挙げられる。液体漂白剤組成物中、有機溶剤の含有量は、液体漂白剤組成物の総質量に対して、０．１〜３質量％が好ましい。
緩衝剤としては、例えばクエン酸が挙げられる。液体漂白剤組成物中、緩衝剤の含有量は、液体漂白剤組成物の総質量に対して、０．０１〜２質量％が好ましい。
香料としては、香料原料単体、又は、香料原料と香料用溶剤と香料安定化剤等とからなる香料組成物を含むものであり、衣料用などの液体洗浄剤、液体漂白洗浄剤、液体漂白剤等に通常用いられる香料を配合することができる。液体漂白剤組成物中、香料の含有量は、液体漂白剤組成物の総質量に対して、０．０１〜１．０質量％が好ましい。
溶媒としては、水を用いることが好ましい。液体漂白剤組成物中、水の含有量は、液体漂白剤組成物の総質量に対して、４０〜９５質量％が好ましい。
ハイドロトロープ剤としては、例えば炭素数２〜４のアルコール類、グリコール類、ポリグリコール類、アルキルエーテル類などの水混和性有機溶剤；トルエンスルホン酸、キシレンスルホン酸、安息香酸塩、尿素などが挙げられる。
液体漂白剤組成物中、ハイドロトロープ剤の含有量は、液体漂白剤組成物の総質量に対して、０．０１〜１５質量％が好ましい。
漂白活性化剤は、それ自体は漂白効果を持たないが、液体漂白剤組成物中で過酸化水素と反応して酸化力の高い有機過酸に変わる物質である。
漂白活性化剤としては、公知の化合物を用いることができる。例えば、テトラアセチルエチレンジアミン；炭素数１〜１８、好ましくは炭素数８〜１２のアルカノイル基を有するアルカノイルオキシベンゼンスルホン酸又はその塩；炭素数１〜１８、好ましくは炭素数８〜１２のアルカノイル基を有するアルカノイルオキシ安息香酸又はその塩が挙げられる。このうち、４−デカノイルオキシ安息香酸（ＤＯＢＡ）、４−ドデカノイルオキシベンゼンスルホン酸ナトリウム（ＤＯＢＳ）、４−ノナノイルオキシベンゼンスルホン酸ナトリウム（ＮＯＢＳ）が好ましい。
これら漂白活性化剤は１種単独で用いてもよく、２種以上を併用してもよい。
漂白活性化剤の含有量は、液体漂白剤組成物の総質量に対して、０．１〜２質量％が好ましく、０．２〜１．５質量％がより好ましく、０．４〜１質量％がさらに好ましい。漂白活性化剤の含有量が上記下限値以上であると、液体漂白剤組成物における黄ばみに対する漂白力が高まり、上記上限値以下であると、外観安定性の向上が図れる。
液体漂白剤組成物に含まれる各成分の含有量の合計は、１００質量％を超えない。
【００３５】
＜液体漂白剤組成物の製造方法＞
本発明の液体漂白剤組成物は特に制限されず、従来公知の製造方法によって製造される。
例えば、（Ａ）成分と（Ｂ）成分と、（Ｃ）成分と、必要に応じて任意成分とを、溶媒（例えばイオン交換水等の水）に混合して溶解し、必要に応じて所定のｐＨになるように調整することにより、製造することができる。
【００３６】
＜液体漂白剤組成物の使用方法＞
本発明の液体漂白剤組成物の使用方法は、例えば、液体漂白剤組成物を単独で又は公知の洗浄剤や柔軟剤と共に水に入れて洗浄液とし、この洗浄液に被洗物を入れ、洗濯機で洗浄する方法；液体漂白剤組成物を予め水に溶解し、これに被洗濯物を浸漬し、その後洗濯機で洗浄する方法等が挙げられる。また、液体漂白剤組成物を被洗濯物に塗布後、適宜放置し、その後、通常の洗濯を行ってもよい。
被洗物としては、例えば、衣料、布帛、シーツ、カーテン、絨毯等の繊維製品が挙げられる。
洗浄液中の液体漂白剤組成物の含有量は、特に限定されない。水に対する液体漂白剤組成物の添加量は、例えば、水１０Ｌ当たり、液体漂白剤組成物３〜１５ｍＬとされる。
【００３７】
本発明の液体漂白剤組成物は、（Ａ）成分：過酸化水素と、（Ｂ）成分：ポリオキシアルキレンアルキルエーテル硫酸又はその塩と、（Ｃ）成分：一般式（ＩＩ）で表される半極性界面活性剤と、ノニオン界面活性剤とを含むものであることが好ましい。
【００３８】
本発明の液体漂白剤組成物は、（Ａ）成分：過酸化水素と、（Ｂ）成分：ポリオキシアルキレンアルキルエーテル硫酸又はその塩と、（Ｃ）成分：一般式（ＩＩ）で表される半極性界面活性剤と、ポリオキシエチレンアルキルエーテルとを含むものであることが好ましい。
【実施例】
【００３９】
以下に実施例を用いて本発明をさらに詳しく説明するが、本発明はこれら実施例に限定されるものではない。
【００４０】
≪実施例１〜１１、比較例１〜４≫
＜液体漂白剤組成物の調製＞
表１及び２に示す配合組成に従い、後述の製造方法（未配合の成分がある場合、その成分は配合しない。）により、各例の組成物をそれぞれ調製した。
表１及び２に示す組成に従い各成分を混合し、ｐＨ調整剤を加えてｐＨが６となるよう調製して各組成物を得た。
表中の配合量の単位は「質量％」であり、いずれの成分も純分換算量を示す。
表中の空欄はその成分が配合されていないことを示す。
「バランス」は、各例の組成物に含まれる全配合成分の合計の配合量（質量％）が１００質量％となるように水が配合されていることを意味する。
以下に、表中に示した成分について説明する。なお、実施例８は参考例である。
【００４１】
＜（Ａ）成分＞
・ａ−１：過酸化水素（三菱ガス化学株式会社製）。
【００４２】
＜（Ｂ）成分＞
・ｂ−１：ポリオキシアルキレンアルキルエーテル硫酸ナトリウム塩（式（Ｉ）中、Ｒ１＝炭素数１２のアルキル基、ｍ＝２、ｎ＝０、Ｍ＋＝ナトリウムイオン）（花王株式会社製「エマール  ２７０Ｊ」）。
・ｂ−２：ポリオキシアルキレンアルキルエーテル硫酸ナトリウム塩（式（Ｉ）中、Ｒ１＝炭素数１２および１４のアルキル基、ｍ＝１、ｎ＝０、Ｍ＋＝ナトリウムイオン）。
（ｂ−２の製造方法）
容量４Ｌのオートクレーブ中に、原料アルコールとしてＰ＆Ｇ社製の商品名ＣＯ１２７
０アルコール（炭素数１２のアルコールと炭素数１４のアルコールとの質量比７５／２５
の混合物）４００ｇと、反応用触媒として水酸化カリウム触媒０．８ｇとを仕込み、該オ
ートクレーブ内を窒素で置換した後、攪拌しながら昇温した。続いて、温度を１８０℃、
圧力を０．３ＭＰａ以下に維持しながらエチレンオキシド９１ｇを導入し、反応させるこ
とによりアルコールエトキシレートを得た。
ガスクロマトグラフ質量分析計：Ｈｅｗｌｅｔｔ−Ｐａｃｋａｒｄ社製のＧＣ−５８９
０と、検出器：水素炎イオン化型検出器（ＦＩＤ）と、カラム：Ｕｌｔｒａ−１（ＨＰ社
製、Ｌ２５ｍ×φ０．２ｍｍ×Ｔ０．１１μｍ）とを用いて分析した結果、得られたアル
コールエトキシレートは、エチレンオキシドの平均付加モル数が１．０であった。また、
エチレンオキシドが付加していない化合物（最終的に一般式（Ｉ）においてｍ＝０、ｎ＝０の化合物となるもの）の量が、得られたアルコールエトキシレート全体に対して４３質量％であった。
次に、上記で得たアルコールエトキシレート２３７ｇを、攪拌装置付の５００ｍＬフラ
スコに採り、窒素で置換した後、液体無水硫酸（サルファン）９６ｇを、反応温度４０℃
に保ちながらゆっくりと滴下した。滴下終了後、１時間攪拌を続け（硫酸化反応）、ポリ
オキシエチレンアルキルエーテル硫酸を得た。次いで、これを水酸化ナトリウム水溶液で
中和することによりｂ−２を得た。
・ｂ’−１：直鎖アルキルベンゼンスルホン酸ナトリウム（ＬＡＳ、ライオン株式会社製、アルキル基の炭素数１０〜１４）。
【００４３】
＜（Ｃ）成分＞
・ｃ−１：ラウリン酸アミドプロピルジメチルアミンオキシド、クラリアント社製、商品名「ＧＥＮＡＭＩＮＯＸ  ＡＰ」；一般式（ＩＩ）におけるＲ２１＝炭素数１１の直鎖状アルキル基、Ｒ２２＝メチル基、Ｒ２３＝メチル基、ｑ＝３。
・ｃ’−１：ｎ−ドデシルジメチルアミンオキシド、ライオン・スペシャリティケミカルズ株式会社製、商品名「アロモックスＤＭ１２Ｄ−Ｗ」；一般式（ＩＶ）におけるＲ１１＝炭素数１２の直鎖状アルキル基、Ｒ１２＝メチル基、Ｒ１３＝メチル基。
【００４４】
［任意成分］
・ノニオン界面活性剤：ポリオキシエチレンアルキルエーテル、炭素数１２のアルコール（Ｃ１２ＯＨ）と炭素数１４のアルコール（Ｃ１４ＯＨ）との混合物（質量比Ｃ１２ＯＨ／Ｃ１４ＯＨ＝７５／２５）に、平均６モルのエチレンオキシドが付加されたもの、ライオン株式会社製、商品名「レオックスＣＬ−６０」。
・フェニルジグリコール：ジエチレングリコールモノフェニルエーテル、日本乳化剤株式会社製、商品名「ＰｈＤＧ（９０）」。
・クエン酸（緩衝剤、関東化学株式会社製、試薬「クエン酸」）。
・ｐＨ調整剤：硫酸（東邦亜鉛株式会社製）、水酸化ナトリウム（鶴見曹達株式会社製）。
［共通成分］
含有量は、液体漂白剤組成物の総質量に対する質量％を表す。
・ＨＥＤＰ（キレート剤、１−ヒドロキシエタン−１，１−ジホスホン酸、ローディア社製、商品名「ＢＲＩＱＵＥＳＴ  ＡＤＰＡ」）・・・０．７５質量％。
・ｐ−メトキシフェノール（ラジカルトラップ剤、川口化学工業社製、商品名「ＭＱ−Ｆ」）・・・０．１質量％。
・香料（特開２００２−１４６３９９号公報の表１１〜１８に記載の香料組成物Ａ）・・・０．１質量％。
【００４５】
＜汚れに対する洗浄力の評価＞
ワイシャツ５枚を５人がそれぞれ１日着用した。これのえり部に各例の漂白剤組成物を１０ｇ塗布して５分放置した後、全自動洗濯機（Ｈａｉｅｒ社製、ＪＷ−Ｚ２３Ａ；水量１５Ｌに設定）に投入した。洗剤（ライオン株式会社製、商品名「トップクリアリキッド」）１０ｇと、浴比３０倍となるように綿シャツ（ＢＶＤ社製、綿１００％）を全自動洗濯機に入れ、標準コースで洗浄した（洗濯処理）。
この着用と洗濯のサイクルを１５回繰り返した後の、ワイシャツのえり部の白さを目視で評価した。この際、漂白剤組成物のかわりにノニオン界面活性剤３％溶液（レオックスＣＬ−６０、ｐＨ６に調整）を塗布し、着用と洗濯を１５回繰り返したものを０点、８回繰り返したものを３点、新品のワイシャツを５点とし、適宜採点した。
パネラー５人の平均値を四捨五入し、下記判定基準に従って評価した。
【００４６】
≪判定基準≫
◎：５点・４点
○：３点・２点
△：１点
×：０点
【００４７】
＜外観安定性の評価＞
透明のガラス製瓶に、各例の液体洗浄剤１００ｇをそれぞれ充填し、蓋を閉めて密封した。この瓶を各例につき３つ用意し、それぞれ室温、５０℃、及び−５℃の高温槽に２４時間静置して保存した。
かかる２４時間の保存の後、液の外観を目視で観察し、下記評価基準に従って、液体洗浄剤の保存安定性を評価した。結果を表１及び２に示す。なお、室温での評価が○のもののみ、５０℃、及び−５℃の評価を記載した。
【００４８】
≪室温における外観安定性の評価基準≫
×：室温で沈殿・分離・濁りが認められた。
○：室温で無色透明であった。
≪高温（５０℃）における外観安定性の評価基準≫
◎：無色透明であった。
○：わずかな析出または濁りが認められた。
△：沈殿または分離が認められた。
≪低温（−５℃）における外観安定性の評価基準≫
◎：無色透明であった。
○：わずかな析出または濁りが認められた。
△：沈殿または分離が認められた。
【００４９】
【表１】
0006635598.tif 000004
【００５０】
【表２】
0006635598.tif 000005
【００５１】
本願発明を適用した実施例１〜１１はいずれも汚れに対する洗浄力、外観安定性に優れるものであった。
（Ｂ）成分を直鎖アルキルベンゼンスルホン酸に変更した比較例１は、外観安定性において劣っていた。
（Ｃ）成分をトリアルキルアミンオキシドに変更した比較例２、３は、外観安定性において劣っていた。
（Ｃ）成分を含まない比較例４は、汚れに対する洗浄力において劣っていた。
以上の結果から、本発明を適用した液体漂白剤組成物は、汚れに対する洗浄力、外観安定性に優れることが確認できた。